(57)【特許請求の範囲】
【請求項１】
フレームと、前記フレームに開閉可能に設けられたシャッタカーテンと、一方向への回転に伴い前記シャッタカーテンを巻き取り可能および他方向への回転に伴い前記シャッタカーテンを巻き出し可能な巻取体と、前記シャッタカーテンまたは前記フレームに設けられ前記シャッタカーテンを閉鎖状態にロック可能およびロック解除可能なロック部とを具備するシャッタ装置において、
前記シャッタカーテンは、前記フレームに開閉可能に設けられたシャッタカーテン本体と、前記シャッタカーテン本体の開閉方向の先端部に設けられ前記シャッタカーテン本体の閉鎖時に相手側に着座する着座部材と、前記シャッタカーテン本体の開閉方向に対して交差する方向の端部に連結され前記シャッタカーテン本体の開閉方向に沿って延設された可撓性をもつ線状体とを備えており、
更に、前記シャッタカーテンは、前記線状体と前記着座部材とを連結するとともに前記シャッタカーテンを閉鎖状態にロックしている前記ロック部を室外側から覆って隠蔽する隠蔽部材を備え、
前記フレームは、前記シャッタカーテンの開閉方向に沿って延設されたガイドレール部を有しており、
前記隠蔽部材は、前記シャッタカーテンの全開時において、前記ガイドレール部に向けて突出すると共に前記ガイドレール部に当接して前記隠蔽部材の過剰の傾斜を抑制する突起部を有することを特徴とするシャッタ装置。
【請求項２】
請求項１において、前記フレームは室外に対面する外壁を有しており、
前記隠蔽部材は、前記フレームの前記外壁と前記ロック部との間に位置しており、且つ、前記シャッタカーテンを閉鎖状態にロックしている前記ロック部を前記フレーム内において前記室外側から覆って隠蔽していることを特徴とするシャッタ装置。
【請求項３】
請求項１または２において、前記フレームは、前記フレームに固定手段により固定され凹または凸状の被係合部をもつ固定部材を有しており、
前記隠蔽部材は、侵入者の侵入行為により前記シャッタカーテンまたは前記隠蔽部材が異常変形しようとするとき、前記固定部材の前記被係合部に係合することにより、前記シャッタカーテンまたは前記隠蔽部材の異常変形を抑制する凹または凸状の係合部をもつことを特徴とするシャッタ装置。
【請求項４】
請求項３において、前記フレームは、前記フレームに固定されている前記固定部材の変形を拘束し且つ侵入者により前記固定部材が前記侵入行為により異常変形されることを抑制する拘束部を有することを特徴とするシャッタ装置。
【発明の詳細な説明】
【技術分野】
【０００１】
本発明は、シャッタカーテンを巻取体に巻き取るシャッタ装置に関する。
【背景技術】
【０００２】
シャッタ装置としては、複数のスラットで形成されたシャッタカーテンと、シャッタカーテンを構成するスラットに連結された線状体と、線状体の巻き取りによりシャッタカーテンを巻き取る巻取体と、巻取体を巻き取り方向及び巻き戻し方向に回転させる駆動部とを備えているものが知られている（特許文献１，２）。特許文献２によれば、着座部材のロック部がフレームのガイドレール部内のロック係止片と噛み合いロックされており、防犯性が高められている。
【特許文献１】特開２００３−７４２６４号公報
【特許文献２】特開２００１−１１５７５４号公報
【発明の開示】
【発明が解決しようとする課題】
【０００３】
ところで、上記したように着座部材のロック部がフレーム内のロック係止片と噛み合いロックされて、防犯性が高められているといえども、侵入者からの攻撃によりフレームの一部がめくれると、ロック部が室外側にむきだしになり、ロック部が侵入者による攻撃を直接受けてしまうおそれがある。
【０００４】
本発明は上記した実情に鑑みてなされたものであり、閉鎖状態のシャッタカーテンをロックするロック部に対する保護性を高めることができ、侵入者に対する防犯性を更に高めたシャッタ装置を提供することを課題とする。
【課題を解決するための手段】
【０００５】
（１）様相１に係るシャッタ装置は、フレームと、フレームに開閉可能に設けられたシャッタカーテンと、一方向への回転に伴いシャッタカーテンを巻き取り可能および他方向への回転に伴いシャッタカーテンを巻き出し可能な巻取体と、シャッタカーテンまたはフレームに設けられシャッタカーテンを閉鎖状態にロック可能およびロック解除可能なロック部とを具備するシャッタ装置において、
シャッタカーテンは、フレームに開閉可能に設けられたシャッタカーテン本体と、シャッタカーテン本体の開閉方向の先端部に設けられシャッタカーテン本体の閉鎖時に相手側に着座する着座部材と、シャッタカーテン本体の開閉方向に対して交差する方向の端部に連結されシャッタカーテン本体の開閉方向に沿って延設された可撓性をもつ線状体とを備えており、
更に、シャッタカーテンは、線状体と着座部材とを連結するとともにシャッタカーテンを閉鎖状態にロックしているロック部を室外側から覆って隠蔽する隠蔽部材を備え、
前記フレームは、前記シャッタカーテンの開閉方向に沿って延設されたガイドレール部を有しており、
前記隠蔽部材は、前記シャッタカーテンの全開時において、前記ガイドレール部に向けて突出すると共に前記ガイドレール部に当接して前記隠蔽部材の過剰の傾斜を抑制する突起部を有することを特徴とする。
【０００６】
本様相によれば、上記したようにシャッタカーテンに装備されている隠蔽部材は、閉鎖状態のシャッタカーテンをロックしているロック部を室外側から覆って隠蔽し、ロック部を保護している。このため侵入者に対するロック部の防犯性が高められている。
【０００７】
そして、シャッタカーテンの全開時において、隠蔽部材の一部がフレームのガイドレール部に当接し、隠蔽部材が過剰に傾くことがある。この場合、着座部材も過剰に傾斜するおそれがある。この結果、シャッタカーテンを次に閉鎖するとき、シャッタカーテンの閉鎖性が損なわれるおそれがある。この点について、フレームは、シャッタカーテンの開閉方向に沿って延設されたガイドレール部を有しており、隠蔽部材は、シャッタカーテンの全開時において、ガイドレール部に向けて突出すると共にガイドレール部に当接して隠蔽部材の過剰の傾斜を抑制する突起部を有することを特徴とする。それにより、隠蔽部材の突起部は、隠蔽部材の過剰の傾斜を抑制する傾斜抑制要素として機能しており、フレームのガイドレール部に向けて突出している。隠蔽部材の突起部は、シャッタカーテンの全開時において、フレームのガイドレール部に当接し、ひいては隠蔽部材の過剰の傾斜を抑制する。このため着座部材の過剰な傾斜が抑制される。故にシャッタカーテンの閉鎖性が損なわれることが抑えられる。
【０００８】
上記したようにシャッタカーテンは、シャッタカーテン本体と着座部材と線状体とで形成されている。着座部材は、シャッタカーテンの一部をなすように、シャッタカーテン本体の開閉方向の先端部に設けられており、シャッタカーテン本体の閉鎖時に床面などの相手側に着座する。線状体は、シャッタカーテンの一部をなすように、シャッタカーテン本体の開閉方向に対して交差する方向の端部に連結されており、シャッタカーテン本体の開閉方向に沿って延設されており、可撓性をもつ。隠蔽部材は、線状体と着座部材とを連結すると共にロック部を隠蔽する。この場合、隠蔽部材は、閉鎖状態のシャッタカーテンをロックしているロック部を隠蔽して保護する隠蔽機能と、線状体を介して着座部材を保持する保持機能とを併有する。このように隠蔽部材は複数の機能を有するため、部品点数が低減される。なお、ロック部は、シャッタカーテン本体、着座部材、線状体のうちの少なくとも一つに設けることができる。また隠蔽部材は、シャッタカーテン本体、着座部材、線状体のうちの少なくとも一つに設けることができる。
【０００９】
（２）様相２に係るシャッタ装置によれば、上記様相において、フレームは室外に対面する外壁を有しており、隠蔽部材は、フレームの外壁とロック部との間に位置しており、且つ、シャッタカーテンを閉鎖状態にロックしているロック部をフレーム内において室外側から覆って隠蔽していることを特徴とする。本様相によれば、隠蔽部材は、フレームの外壁とロック部との間に位置しており、閉鎖状態のシャッタカーテンをロックしているロック部をフレーム内において室外側から覆って保護している。このため、侵入者の攻撃により、仮にフレームの外壁がめくられたとしても、隠蔽部材がロック部を室外側から覆って保護しているため、侵入者に対するロック部の防犯性が一層高められている。
【００１０】
（３）様相３に係るシャッタ装置によれば、上記様相において、フレームは、フレームに固定手段により固定され凹または凸状の被係合部をもつ固定部材を有しており、隠蔽部材は、侵入者の侵入行為によりシャッタカーテンが異常変形しようとするとき、固定部材の被係合部に係合することによりシャッタカーテンまたは隠蔽部材の異常変形を抑制する凹または凸状の係合部をもつことを特徴とする。侵入者の侵入行為によりシャッタカーテンまたは隠蔽部材が異常変形させられるようなときであっても、フレーム内に固定されている固定部材の被係合部と隠蔽部材の係合部との係合性が高まる。このため、侵入者による侵入行為があったとしても、ロック部を保護している隠蔽部材が固定部材に良好に係合する。よって、侵入者の侵入行為があったとしても、隠蔽部材が固定部材から遠ざかることが抑えられる。故に、閉鎖状態のシャッタカーテンをロックしているロック部に対する隠蔽性および保護性が良好に確保される。よって、侵入者に対する防犯性が一層高められている。
【００１１】
（４）様相４に係るシャッタ装置によれば、上記様相において、フレームは、前記フレームに固定されている固定部材の変形を拘束し且つ侵入者により固定部材が侵入行為により異常変形されることを抑制する拘束部を有することを特徴とする。この場合、侵入者の侵入行為により固定部材が異常変形されることが抑制される。このため、侵入者の攻撃によりシャッタカーテン本体または隠蔽部材が異常変形させられるようなときであっても、フレーム内に固定されている固定部材の被係合部と隠蔽部材の係合部との係合性が良好に維持される。このため、侵入行為があったとしても、閉鎖状態のシャッタカーテンをロックしているロック部を隠蔽して保護している隠蔽部材と固定部材との係合性が良好に維持される。故に、隠蔽部材が固定部材から過剰に遠ざかることが抑えられる。よって、隠蔽部材はロック部を良好に隠蔽して保護することができる。よって、侵入者に対する防犯性が一層高められている。
【発明の効果】
【００１２】
本発明によれば、閉鎖状態のシャッタカーテンをロックするロック部に対する保護性を隠蔽部材により高めることができ、侵入者に対する防犯性を更に高めたシャッタ装置を提供することができる。
【発明を実施するための最良の形態】
【００１３】
発明を実施するための最良の形態について各実施例に基づいて説明する。
【実施例１】
【００１４】
以下、本発明の実施例１について図１〜図７を参照して具体的に説明する。各図は概念を示す模式図である。概念図であるため、図示線が一部重複していることがある。他の実施例も同様である。本実施例に係るシャッタ装置１０は、図１に示すように、横長な複数のスラット１８で形成されたシャッタカーテン本体１３ａをもつシャッタカーテン１３と、シャッタカーテン１３を巻き取る巻取体１２と、巻取体１２を巻き取り方向及び巻き戻し方向に回転させる駆動部としてのモータ１１とを備えている。
【００１５】
図１に示されるように、このモータ１１は、横軸形の巻取体１２をこれの軸芯ＰＭ回りで周方向に回転駆動するようになっている。モータ１１は、シャッタカーテン１３を巻き取り方向及び巻き戻し方向にそれぞれ回転可能とされている。従って、モータ１１により回転される巻取体１２は、シャッタカーテン１３を巻き取り方向及び巻き戻し方向に回転可能となっている。即ち、モータ１１の一方向の回転により、シャッタカーテン１３が線状体２０と共に巻取体１２に巻き取られる。モータ１１の他方向への回転により、シャッタカーテン１３が線状体２０と共に巻取体１２から巻き戻されて繰り出される。
【００１６】
シャッタカーテン１３のうち開閉方向（矢印Ｙ１，Ｙ２方向）と直交する方向における左右両側端部は、夫々、上下方向にのびるフレーム１５に沿って上下方向にガイドされるようになっている。巻取体１２はブラインドシャッタ装置１０の上部の格納ボックス１６（フレーム１５の一部）内に設置されている。シャッタカーテン１３のうち、これの開閉方向の先端（下端）を構成する着座部材１７が設けられている。シャッタカーテン１３は、着座部材１７より上側の部分を構成する複数のスラット１８で形成されたシャッタカーテン本体１３ａと、各スラット１８に連結された上下方向に沿って延設された可撓性をもつ線状体２０と、シャッタカーテン１３の下端部に設けられた着座部材１７とを備えている。
【００１７】
各スラット１８は矢印Ｌ方向（シャッタカーテン１３の開閉方向と交差する方向）に沿って横長に延設されており、上下方向（シャッタカーテン１３の開閉方向）に沿って複数個並設されている。スラット１８は、スラット１８をシャッタカーテン１３として使用するシャッタ使用形態と、スラット１８をブラインドとして使用するブラインド使用形態とに切替可能とされている。
【００１８】
図２（Ａ）は、シャッタカーテン１３が閉じている状態の一部を示す。図２（Ａ）に示すように、スラット１８は、アルミニウム合金または鋼等の金属または硬質樹脂で形成されたスラット本体１８０と、スラット本体１８０の長手方向（矢印Ｌ方向）の端部１８１に取り付けられた樹脂を基材とするキャップ１８４と、キャップ１８４と線状体２０とを連結することによりシャッタカーテン１３と線状体２０とを連結する連結軸部１９とを備えている。
【００１９】
図２（Ｂ）は、シャッタカーテン１３の一部を構成する線状体２０の側面を示す。図２（Ｂ）に示すように、線状体２０は、金属を基材とする第１リンク２１と金属を基材とする第２リンク２８とを連結具２９により直列に揺動可能に接続してチェーン状に形成されている。このような線状体２０は屈曲に伴う可撓性を有する。
【００２０】
図２（Ａ）に示すように、シャッタカーテン１３の一部を構成する着座部材１７には、スラット１８の長さ方向に沿って移動可能なロック部材３が設けられている。ロック部材３は、閉鎖状態のシャッタカーテン１３をロックするロック機能を発揮するロック部３０と、ロック部３０を繋ぐ延設部３１と、室内Ｍ１側から使用者により操作される操作部３２とをもつ。延設部３１は、着座部材１７の延設溝１７ｍ内に着座部材１７の長さ方向に沿ってスライド可能に配置されている。図２（Ａ）から理解できるように、室内Ｍ１側から使用者が操作部３２をロック方向（外側方向，矢印Ｌ１方向）に手動操作すれば、ロック部３０が同方向に移動し、ロック位置となる。室内Ｍ１側から使用者が操作部３２をロック解除方向（内側方向，矢印Ｌ２方向）に手動操作すれば、ロック部３０が同方向に移動し、ロック解除位置となる。
【００２１】
フレーム１５の横断面を図３に示す。図３に示すように、フレーム１５はシャッタ装置を家屋やビルや車両等の構造物に設置するときにおける基部または固定部となる部位であり、線状体２０を案内する空洞状をなす第１案内通路１５０を形成するガイドレール部１５１と、連結隠蔽部材５を案内する空洞状をなす第２案内通路１５２と、室外Ｍ２に対面する外壁１５３と、連結隠蔽部材５に接近対面するように外壁１５３の内端に設けられた第１リブ１５４と，第１リブ１５４に隣接すると共に連結隠蔽部材５に接近対面するように設けられた第２リブ１５５と、連結隠蔽部材５に接近対面する第３リブ１５６と，第１リブ１５４に対向する第４リブ１５７と、空洞１５８と、シャッタカーテン１３に対面する開口１５９とをもつ。
【００２２】
図６に示すように、フレーム１５の内部には、固定部材４が第１締結具４１（固定手段）により固定されている。固定部材４は、着座スイッチ４２をフレーム１５内に、殊にフレーム１５内の下側に配置する機能を有する。シャッタカーテン１３が閉鎖されるとき、着座スイッチ４２は、着座部材１７が床面などの相手側に着座することを検知する。図６に示すように、フレーム１５内に固定されている固定部材４は、本体４３と、突起状の抜け止め部４４（被ロック部）をもつ。ロック部３０がロック位置にあるとき、ロック部３０は、固定部材４の抜け止め部４４に対面係合する。このため、侵入者等がシャッタカーテン１３を矢印Ｙ１方向に上昇させて開放させようとしても、それ以上、ロック部３０はそれ以上矢印Ｙ１方向に移動できない。これにより閉鎖されているシャッタカーテン１３の開放が防止され、侵入者に対する防犯性が高められている。これに対してロック部３０がロック解除位置にあれば、ロック部３０は抜け止め部４４に対面係合しないため、ロック部３０は矢印Ｙ１方向に移動することができ、シャッタカーテン１３の開放が許容される。
【００２３】
図２（Ａ）に示すように、線状体２０の下端部には第２締結具５０を介して、ブラケット状の連結隠蔽部材５（隠蔽部材）が連結されている。連結隠蔽部材５は、着座部材１７の長さ方向の端部と各線状体２０の下端部とを連結している。図２（Ａ）および図３に示すように、連結隠蔽部材５は、閉鎖状態（全閉状態）のシャッタカーテン１３を開放できないようにロックしているロック部３０を室外Ｍ２側から覆って隠蔽して保護している。殊に図３に示すように、連結隠蔽部材５は、フレーム１５内において、ロック位置にあるロック部３０を室外Ｍ２側から隠蔽して保護している。図３に示すように、連結隠蔽部材５は、ロック位置にするロック部３０とフレーム１５の外壁１５３との間に配置されている。侵入者がバール等の侵入具を矢印Ｋ方向（図３参照）にフレーム１５の外壁１５３とシャッタカーテン１３との間の隙間に差し込み、フレーム１５の外壁１５３をめくるようなことがある。このような侵入行為があったとしても、連結隠蔽部材５がロック部３０を室外Ｍ２側から隠蔽している。このため、閉鎖状態のシャッタカーテン１３をロックしているロック部３０に対する防犯性が高まる。
【００２４】
図４（Ａ）（Ｂ）（Ｃ）は連結隠蔽部材５の三面視を示す。図４（Ａ）（Ｂ）（Ｃ）に示すように、連結隠蔽部材５は、断面でほぼＬの字形状の連結隠蔽部材本体５１と、断面でほぼ平プレート形状の挿入部５２とをもつ。連結隠蔽部材本体５１は曲成片５ｃをもつ。連結隠蔽部材本体５１は、スラット１８の延設方向に沿って延設されたカバー用のひれ部５３と、スイッチ突起としての曲げ部５４とをもつ。シャッタカーテン１３が閉鎖されて着座部材１７が床面等に着座するとき、曲げ部５４は、着座スイッチ４２のスイッチ部を押圧して着座スイッチ４２から着座信号を制御装置に出力させる。図３に示すように、連結隠蔽部材５の突片状をなすひれ部５３は、ロック位置にあるロック部３０とフレーム１５の外壁１５３との間の隙間に配置されている。この結果、ひれ部５３は、ロック位置にあるロック部３０に対する隠蔽性および保護性を高めている。この結果、侵入者によりフレーム１５の外壁１５３がめくられるような侵入行為があったとしても、連結隠蔽部材５のひれ部５３がロック部３０を室外Ｍ２側から隠蔽している。このため、閉鎖状態のシャッタカーテン１３をロックしているロック部３０に対する防犯性が更に高まる。
【００２５】
図４（Ｂ）に示すように、連結隠蔽部材５の挿入部５２は複数の挿入孔５５をもつ。図２（Ａ）に示すように、連結隠蔽部材５の挿入部５２は、着座部材１７の長さ方向に沿った挿入溝１７ｐに嵌合されている。そして挿入部５２の挿入孔５５に挿入した第３締結具５６により、着座部材１７の端部と連結隠蔽部材５とは一体接合されている。従って着座部材１７、連結隠蔽部材５、線状体２０、シャッタカーテン本体１３ａは、一体連結されている。従って、ロック部３０を保護している連結隠蔽部材５を侵入者が外方に引き出そうとしても、連結隠蔽部材５の過剰な引き出しは抑えられ、この意味においても侵入者に対する防犯性が高められている。なお、線状体２０が矢印Ｙ１方向に上昇すると、シャッタカーテン本体１３ａと共に連結隠蔽部材５および着座部材１７も同方向に持ち上げられる。また線状体２０が矢印Ｙ２方向に下降すると、シャッタカーテン本体１３ａと共に連結隠蔽部材５および着座部材１７も同方向に下降する。
【００２６】
以上説明したように本実施例によれば、図３に示すように、連結隠蔽部材５は、閉鎖閉状態（全閉状態）のシャッタカーテン１３をロックしているロック部３０（ロック位置にあるロック部３０）を室外Ｍ２側から覆って隠蔽し、ロック部３０を保護している。このため侵入者がロック部３０を攻撃するとき、攻撃に対する防犯性が高められている。殊に本実施例によれば、連結隠蔽部材５は、フレーム１５内において、全鎖状態（閉鎖状態）のシャッタカーテン１３をロックしているロック部３０（ロック位置にあるロック部３０）を室外Ｍ２側から隠蔽している。このため、侵入者の攻撃により仮にフレーム１５の外壁１５３（図３参照）がめくられたとしても、連結隠蔽部材５がロック部３０を覆って保護しているため、侵入者に対する防犯性が一層高められている。
【００２７】
ところで、着座部材１７には着座部材ストッパ５７が取り付けられている。図５に示すように、モータ１１が巻き上げ方向に駆動して線状体２０およびシャッタカーテン１３が巻取体１２に巻き取られるとき、シャッタカーテン１３は矢印Ｙ１方向に上昇する。シャッタカーテン１３を上昇させて全開させるとき、図５に示すように、フレーム１５の上側に設けられている上端ストッパ１５ｕに着座部材ストッパ５７が当接するため、シャッタカーテン１３のそれ以上の開放は規制される。このときモータ１１が過負荷となり、モータ過負荷信号が制御装置に出力されるため、制御装置は、シャッタカーテン１３の全開を検知し、モータ停止信号を出力する。このようにシャッタカーテン１３が全開とされるとき、シャッタカーテン１３の巻径が大きいとき等の事情により、着座部材１７がガイドレール部１５１内において過剰に傾斜するおそれがある。この場合、連結隠蔽部材５も過剰に傾斜するため、連結隠蔽部材５がガイドレール部１５１の内壁１５１ｉ（図５参照）に矢印Ｓ１方向に過剰に食い込み、引っかかるおそれがある。このような引っかかりが発生すると、シャッタカーテン１３を矢印Ｙ２方向に下降させて再び閉じようとするとき、シャッタカーテン１３が円滑に下降せず、閉鎖されないおそれがある。
【００２８】
この点について本実施例によれば、図５に示すように、連結隠蔽部材５は、シャッタカーテン１３の全開時において、フレーム１５のガイドレール部１５１の内壁１５１ｉに当接して連結隠蔽部材５の過剰の傾斜姿勢を抑制する突起部５８を有する。突起部５８はガイドレール部１５１の内壁１５１ｉに向けて突出している。しかも、突起部５８の先端は凸状の円弧面で形成されている。この結果、シャッタカーテン１３の全開時において、図５に示すように、シャッタカーテン１３の全開時に、連結隠蔽部材５の突起部５８はフレーム１５のガイドレール部１５１の内壁１５１ｉに当接するため、突起部５８の突出ぶん、連結隠蔽部材５の過剰の傾斜が抑制される。このため着座部材１７の過剰な傾斜が抑制されると共に、連結隠蔽部材５がガイドレール部１５１の内壁１５１ｉに過剰に食い込むことが抑制される。故に、全開状態のシャッタカーテン１３を矢印Ｙ２方向に閉鎖方向に下降させるとき、シャッタカーテン１３の閉鎖性が損なわれることが抑えられる。
【００２９】
このように連結隠蔽部材５は、閉鎖状態のシャッタカーテン１３をロックするロック部３０を覆って保護する機能と、シャッタカーテン１３の全開時における着座部材１７の過剰の傾斜を防止する機能とを併有する。換言すると、ロック部３０を覆って保護する連結隠蔽部材５を有効利用し、シャッタカーテン１３の全開時における着座部材１７の過剰の傾斜を防止している。
【実施例２】
【００３０】
図８は実施例２を示す。本実施例は実施例１と基本的には同様の構成および作用効果を有する。図８はシャッタ装置の固定部としてのフレーム１５Ｂの横断面を示す。図８に示すように、フレーム１５Ｂの内部においては、固定手段としての第１締結具４１により固定部材４Ｂがフレーム１５Ｂに固定されている。図８に示すように、固定部材４Ｂは、横断面でほぼコの字形状をなす本体４３Ｂと、本体４３Ｂから延設された舌片部４４Ｂと、舌片部４４Ｂに連設された凸状（断面Ｌの字状）の被係合部４６Ｂとをもつ。この被係合部４６Ｂは、シャッタカーテン１３のスラット１８から遠ざかる方向（矢印Ｌ４方向）にスラット１８の長手方向に沿って突出している。
【００３１】
これに対して連結隠蔽部材５Ｂの曲成片５ｃは、凸状の被係合部４６Ｂに対面可能な凹状の係合部５９Ｂ（連結隠蔽部材５Ｂの厚み方向に貫通する角穴状）をもつ。
【００３２】
ところで、侵入者がバール等の侵入具をシャッタカーテン１３のスラット１８とフレーム１５Ｂの第１リブ１５４との間に矢印Ｋ方向（図８参照）に挿入させ、スラット１８を異常変形させて引き出し方向（矢印Ｋ２方向，図８参照）に侵入者が強制的に引き出そうとすることがある。このような侵入攻撃のとき、連結隠蔽部材５Ｂの凹状の係合部５９Ｂが固定部材４Ｂの凸状の被係合部４６Ｂに係合して引っかかる。前述したように、スラット１８と線状体２０は連結されており、且つ、線状体２０と連結隠蔽部材５とは連結されているため、シャッタカーテン１３と連結隠蔽部材５Ｂとは連動するためである。このとき、第１締結具４１により固定部材４Ｂがフレーム１５Ｂに強固に固定されているため、侵入行為によりスラット１８および連結隠蔽部材５Ｂが引き出し方向（矢印Ｋ２方向）へ過剰に引き出されることは、抑制される。ここで、図８に示すように、第１締結具４１は室内Ｍ１側に配置されているため、第１締結具４１に対する侵入攻撃は困難となり、固定部材４Ｂはフレーム１５Ｂに強固に固定されている。故に、連結隠蔽部材５Ｂの強制的な異常変形は固定部材４Ｂにより抑えられる。よって上記した侵入行為があったとしても、連結隠蔽部材５Ｂはロック部３０を良好に保護することができ、侵入者に対する防犯性が高められている。
【実施例３】
【００３３】
図９（Ａ）（Ｂ）は実施例３の概念を示す。図９（Ａ）（Ｂ）は概念図であるため、図示線が一部重複していることがある。本実施例は実施例１と基本的には同様の構成および作用効果を有する。図９（Ａ）に示すように、フレーム１５Ｃにおいては、固定手段としての第１締結具４１により固定部材４Ｃがフレーム１５Ｃに固定されている。図９（Ａ）に示すように、第１締結具４１は室内Ｍ１側に配置されているため、第１締結具４１に対する侵入攻撃は困難となるため、固定部材４Ｂへの攻撃は抑えられる。固定部材４Ｃは、第１締結具４１でフレーム１５Ｃに固定された横断面でコの字形状をなす本体４３Ｃと、本体４３Ｃから延設された舌片部４４Ｃと、シャッタカーテン１３のスラット１８の長手方向においてスラット１８から遠ざかる方向（矢印Ｌ４方向）に向けて舌片部４４Ｃに連設された凸状（断面Ｌ字形状）の被係合部４６Ｃとをもつ。
【００３４】
これに対してロック部３０を保護する連結隠蔽部材５Ｃは、凸状（断面コの字形状）の係合部５９Ｃをもつ。被係合部４６Ｃと係合部５９Ｃとは、間隔を隔てて対面している。図９（Ａ）に示すように、連結隠蔽部材５Ｃは、ロック部３０を室外Ｍ２側から覆っており、ロック部３０に対する保護性が高められている。
【００３５】
室外Ｍ２側の侵入者がバール等の侵入具をスラット１８と第１リブ１５４との間に矢印Ｋ方向（図９（Ａ）参照）に挿入させ、スラット１８を異常変形させて引き出し方向（矢印Ｋ２方向）に侵入者が強制的に引き出そうとすることがある。このような侵入攻撃のとき、連結隠蔽部材５Ｃの凸状（断面コの字形状）の係合部５９Ｃは、固定部材４Ｃの凸状（断面Ｌの字形状）の被係合部４６Ｃに係合する。このとき第１締結具４１により固定部材４Ｃがシャッタ装置のフレーム１５Ｃに固定されている。このため、スラット１８および連結隠蔽部材５Ｃの引き出し方向（矢印Ｋ２方向）への強制的な過剰の引き出しは、抑制される。故に、連結隠蔽部材５Ｃは、ロック部３０を良好に保護する。よって、侵入者に対する防犯性が高められている。
【実施例４】
【００３６】
図１０（Ａ）（Ｂ）は実施例４の概念を示す。本実施例は実施例１と基本的には同様の構成および作用効果を有する。図１０（Ａ）（Ｂ）に示すように、フレーム１５Ｄにおいては、固定手段としての第１締結具４１（螺子部材またはリベット部材）により固定部材４Ｄが固定されている。固定部材４Ｄは溶接でフレーム１５Ｄに固定されていても良い。第１締結具４１は室内Ｍ１側に配置されているため、第１締結具４１に対する侵入攻撃は困難となり、固定部材４Ｂへの攻撃は抑えられる。固定部材４Ｄは、第１締結具４１でフレーム１５Ｄに固定された本体４３Ｄと、本体４３Ｄから延設された凸状（プレート状）の被係合部４６Ｄと、被係合部４６Ｄから延設されたプレート状の変形抑制部４７Ｄとをもつ。
【００３７】
固定部材４Ｄの変形抑制部４７Ｄは、フレーム１５Ｄの下端部の下方からフレーム１５Ｄの拘束壁１６０Ｄ（拘束部）に向かい、フレーム１５Ｄの拘束壁１６０Ｄと外壁１５３との間に配置されている。従って、固定部材４Ｄは、第１締結具４１でフレーム１５Ｄの壁１５２Ｄに拘束されている他、フレーム１５Ｄの拘束壁１６０Ｄでも拘束されている。このように固定部材４Ｄは複数箇所でフレーム１５Ｄに拘束されており、異常変形しにくい構造とされている。図１０（Ａ）に示すように、拘束壁１６０Ｄおよび外壁１５３は中空箱形状を形成しており、拘束壁１６０Ｄは高い剛性をもつため、防犯性が高められている。図１０（Ａ）に示すように、連結隠蔽部材５Ｄは、スラット１８に向けて矢印Ｌ６方向に指向する凸状の係合部５９Ｄ（断面でコの字状）をもつ。係合部５９Ｄは被係合部４６Ｄに対面して係合可能とされている。
【００３８】
侵入者がバール等の侵入具をスラット１８と第１リブ１５４との間に矢印Ｋ方向（図１０（Ａ）参照）に挿入させ、スラット１８または連結隠蔽部材５Ｄを異常変形させんとし、これらを引き出し方向（矢印Ｋ２方向）に侵入者が強制的に引き出そうとすることがある。このような場合、連結隠蔽部材５Ｄの凸状の係合部５９Ｄが固定部材４Ｄの凸状の被係合部４６Ｄに係合する。このとき第１締結具４１により固定部材４Ｄがフレーム１５Ｄに固定されている。更に、フレーム１５Ｄの拘束壁１６０により固定部材４Ｄはフレーム１５Ｄに拘束されて、固定部材４Ｄの異常変形は抑えられている。このため、スラット１８および連結隠蔽部材５Ｄの侵入者による引き出し方向（矢印Ｋ２方向）への過剰の引き出しは、抑制される。故に、上記した侵入行為があったとしても、連結隠蔽部材５Ｄはロック部３０を良好に保護でき、侵入者に対する防犯性が高められている。
【実施例５】
【００３９】
図１１（Ａ）（Ｂ）は実施例５の概念を示す。本実施例は実施例１と基本的には同様の構成および作用効果を有する。図１１（Ａ）（Ｂ）に示すように、フレーム１５Ｅにおいては、固定手段としての第１締結具４１により固定部材４Ｅが固定されている。固定部材４Ｅは、第１締結具４１によりフレーム１５Ｅに固定された本体４３Ｅと、本体４３Ｅからスラット１８から遠ざかるように矢印Ｌ４方向に沿って延設された凸状の被係合部４６Ｅと、被係合部４６Ｅからスラット１８から更に遠ざかるように延設された変形抑制部４７Ｅとをもつ。被係合部４６Ｅは、図１１（Ｂ）に示すように、フレーム１５Ｅの下端部の貫通穴１５ｘを矢印Ｌ８方向に通り、更にフレーム１５Ｅの空洞１５８において矢印Ｌ９方向に上昇している。変形抑制部４７Ｅは、空洞１５８においてフレーム１５Ｅの拘束壁１６０Ｅに沿って上方に突出しており、フレーム１５Ｅの拘束壁１６０Ｅに接近しつつ対面している。
【００４０】
固定部材４Ｅが矢印Ｋ２方向（図１１（Ａ）参照）に侵入者により強制的に引き出されようとしても、固定部材４Ｅの変形抑制部４７Ｅは、フレーム１５Ｅの拘束壁１６０Ｅと第１締結具４１とにより拘束されているため、引き出し方向（矢印Ｋ２方向）に強制的に引き出されない。このように固定部材４Ｅの異常変形が発生しないように、固定部材４Ｅは、フレーム１５Ｅの内部において、第１締結具４１と拘束壁１６０Ｅとの複数箇所でフレーム１５Ｅに拘束されている。ここで、フレーム１５Ｅの外壁１５３により拘束壁１６０Ｅは隠蔽されており、拘束壁１６０Ｅは室外Ｍ２側の侵入者から視認されないため、防犯性が高められている。図１１（Ａ）に示すように、連結隠蔽部材５Ｅは凸状の係合部５９Ｅ（断面でコの字状）をもつ。
【００４１】
侵入者がバール等の侵入具をスラット１８と第１リブ１５４との間に矢印Ｋ方向に挿入させ、スラット１８または連結隠蔽部材５Ｅを異常変形させんとし、引き出し方向（矢印Ｋ２方向）に侵入者が強制的に引き出そうとするとするとき、連結隠蔽部材５Ｅの凸状（コの字形状）の係合部５９Ｅが固定部材４Ｅの凸状の被係合部４６Ｅに係合する。このとき第１締結具４１により固定部材４Ｅがシャッタ装置のフレーム１５Ｅに固定されているとともに、フレーム１５Ｅの拘束壁１６０Ｅにより固定部材４Ｅはフレーム１５Ｅに拘束されている。このため侵入者によるスラット１８および連結隠蔽部材５Ｅの過剰の引き出しは、抑制される。ひいてはスラット１８および連結隠蔽部材５Ｅの異常変形は抑制される。故に、連結隠蔽部材５Ｅは良好にロック部３０を保護でき、侵入者に対する防犯性が高められている。
【００４２】
（その他）
上記した実施例１によれば、固定部材４は締結具４１でフレーム１５に固定されているが、これに限らず、固定部材４は溶接等でフレーム１５に固定されていても良い。更に固定部材４はフレーム１５と別体とされており、締結具４１でフレーム１５に固定されているが、これに限らず、固定部材はフレーム１５と共に一体成形されていても良い。連結隠蔽部材５Ｃは隠蔽部材として設けられているが、これに限らず、連結隠蔽部材５Ｃに対して別体の隠蔽部材を設けることにしても良い。本発明は上記し且つ図面に示した実施例のみに限定されるものではなく、要旨を逸脱しない範囲内で適宜変更して実施可能である。ある実施例に採用されている構造および機能は、他の実施例に対しても適用できる。
【００４３】
上記した記載から次の技術的思想を把握できる。
（付記項１）フレームと、フレームに開閉可能に設けられたシャッタカーテンと、一方向への回転に伴いシャッタカーテンを巻き取り可能および他方向への回転に伴いシャッタカーテンを巻き出し可能な巻取体と、シャッタカーテンまたはフレームに設けられシャッタカーテンを閉鎖状態にロック可能およびロック解除可能なロック部とを具備するシャッタ装置において、シャッタカーテンは、シャッタカーテンを閉鎖状態にロックしているロック部を室外側から覆って隠蔽する隠蔽部材を具備することを特徴とするシャッタ装置。
（付記項２）フレームと、前記フレームに開閉可能に設けられたシャッタカーテンと、一方向への回転に伴い前記シャッタカーテンを巻き取り可能および他方向への回転に伴い前記シャッタカーテンを巻き出し可能な巻取体と、前記シャッタカーテンまたは前記フレームに設けられ前記シャッタカーテンを閉鎖状態にロック可能およびロック解除可能なロック部とを具備するシャッタ装置において、前記フレームは、前記フレームに固定手段により固定され凹または凸状の被係合部をもつ固定部材を有しており、前記シャッタカーテンは、侵入者の侵入行為により前記シャッタカーテンが異常変形しようとするとき、前記固定部材の前記被係合部に係合することにより、前記シャッタカーテンの異常変形を抑制する凹または凸状の係合部をもつことを特徴とするシャッタ装置。この場合、シャッタカーテンの異常変形が抑制され、侵入者の侵入行為に対する耐久性を高めることができる。
【図面の簡単な説明】
【００４４】
【図１】実施例１に係り、シャッタ装置の正面図である。
【図２】実施例１に係り、（Ａ）はシャッタカーテンが閉じている状態を示す正面図であり、（Ｂ）はシャッタカーテンが閉じている状態における線状体を示す側面図である。
【図３】実施例１に係り、シャッタカーテンが閉じている状態においてシャッタ装置の横断面図である。
【図４】実施例１に係り、（Ａ）は連結隠蔽部材の平面図であり、（Ｂ）は連結隠蔽部材の正面図であり、（Ｃ）は連結隠蔽部材の側面図である。
【図５】実施例１に係り、シャッタカーテンの全開時における断面図である。
【図６】実施例１に係り、フレーム内の断面図である。
【図７】実施例１に係り、着座部材の縦断面図である。
【図８】実施例２に係り、フレーム内の横断面図である。
【図９】実施例３に係り、（Ａ）はフレーム内を模式的に示す横断面図であり、（Ｂ）はフレーム内を模式的に示す縦断面図である。
【図１０】実施例４に係り、（Ａ）はフレーム内を模式的に示す横断面図であり、（Ｂ）はフレーム内を模式的に示す縦断面図である。
【図１１】実施例５に係り、（Ａ）はフレーム内を模式的に示す横断面図であり、（Ｂ）はフレーム内を模式的に示す縦断面図である。
【符号の説明】
【００４５】
１０はシャッタ装置、１３はシャッタカーテン、１３ａはシャッタカーテン本体、１２は巻取体、１５はガイドレール部、１８はスラット、１８０はスラット本体、３はロック部材、３０はロック部、４は固定部材、４３は本体、４４は抜け止め部、５は連結隠蔽部材（隠蔽部材）、５３はひれ部、５４は曲げ部、５８は突起部、５９は係合部を示す。
【図１】
0005267838.tif 000002
【図２】
0005267838.tif 000003
【図３】
0005267838.tif 000004
【図４】
0005267838.tif 000005
【図５】
0005267838.tif 000006
【図６】
0005267838.tif 000007
【図７】
0005267838.tif 000008
【図８】
0005267838.tif 000009
【図９】
0005267838.tif 000010
【図１０】
0005267838.tif 000011
【図１１】
0005267838.tif 000012